(57)【要約】【課題】建物の下部構造部の外壁と上部構造部との間に耐震要素を設けることなく、外壁に立設された鉄骨柱で上部構造部を支持する。【解決手段】鉄骨柱１００は、鉄筋コンクリート造の外壁２６を有する下部構造部２０の外壁２６の上部２６Ｂに下端部１０２が埋設されると共に上端部１０４が外壁２６から立設している。そして、この鉄骨柱１００に屋根５０が支持されている。【選択図】図４
2018141333.tif 000002
【特許請求の範囲】
【請求項１】
鉄筋コンクリート造の外壁を有する下部構造部と、
前記下部構造部の前記外壁の上部に下端部が埋設され、上端部が前記外壁から立設する鉄骨柱と、
前記鉄骨柱で支持された上部構造部と、
を備える建物。
【請求項２】
前記下部構造部と前記上部構造部との間の外周部に窓が設けられ、
前記鉄骨柱に、前記窓の窓枠の縦枠部が重なるように固定されている、
請求項１に記載の建物。
【請求項３】
前記上部構造部が屋根である、
請求項１又は請求項２に記載の建物。
【発明の詳細な説明】
【技術分野】
【０００１】
本発明は、建物に関する。
【背景技術】
【０００２】
特許文献１には、プレキャスト鉄筋コンクリート柱における鉄骨柱の柱脚固定方法に関する技術が開示されている。この先行技術では、下階構造における鉄筋コンクリートよりなるプレキャストコンクリート柱内に鉄骨梁と一体に鉄骨柱の柱脚部を定着している。そして、同柱脚部をプレキャストコンクリート柱の上端面より突出し、同柱脚部の突出部と上階構造の鉄骨柱とを接合している。
【０００３】
特許文献２には、最上階の外壁よりも外側に突出するようにして屋根の軒部が設けられた建物に関する技術が開示されている。この先行技術では、最上階の天井部と、軒部に設けられた軒天井部と、が略同じ高さとなるように設けられている。そして、最上階の外壁の上部に、最上階の天井部付近と、軒部の軒天井部付近とを連通する開口部が形成されていると共に、この開口部を開閉する換気窓が設置されている。
【先行技術文献】
【特許文献】
【０００４】
【特許文献１】特開平０７−６２７４２号公報
【特許文献２】特開２００７−１６２３８９号公報
【発明の概要】
【発明が解決しようとする課題】
【０００５】
下部構造部の外壁と屋根等の上部構造部との間に、ブレース等の耐震要素を設けることなく、外壁に立設された鉄骨柱で上部構造部を支持する構造とすると、高い意匠性を得ることができる。
【０００６】
本発明は、上記事実を鑑み、下部構造部の外壁と上部構造部との間に耐震要素を設けることなく、外壁に立設された鉄骨柱で上部構造部を支持する建物を提供することが目的である。
【課題を解決するための手段】
【０００７】
請求項１の発明は、鉄筋コンクリート造の外壁を有する下部構造部と、前記下部構造部の前記外壁の上部に下端部が埋設され、上端部が前記外壁から立設する鉄骨柱と、前記鉄骨柱で支持された上部構造部と、を備える建物である。
【０００８】
請求項１に記載の発明では、鉄骨柱は、下部構造部の外壁の上部に下端部が埋設されているので、外壁の剛性が高くなり、地震力の方向が面外方向となる外壁から立設する鉄骨柱も地震力を負担できる。
【０００９】
したがって、下部構造部の外壁と上部構造部との間に耐震要素を設けることなく、外壁から突出させた鉄骨柱で上部構造部を支持することができる。また、下部構造部の外壁と上部構造部との間には、耐震要素がないので、意匠性が向上する。
【００１０】
請求項２の発明は、前記下部構造部と前記上部構造部との間の外周部に窓が設けられ、前記鉄骨柱に、前記窓の窓枠の縦枠部が重なるように固定されている、請求項１に記載の建物である。
【００１１】
請求項２に記載の発明では、鉄骨柱に窓枠の縦枠部が重なるように固定されている。よって、外から鉄骨柱が隠れ、下部構造部の外壁と上部構造部との間は窓枠しかないように見え、意匠性が向上する。
【００１２】
請求項３の発明は、前記上部構造部が屋根である、請求項１又は請求項２に記載の建物である。
【００１３】
請求項３に記載の発明では、下部構造部の外壁と屋根との間には、耐震要素がないので、意匠性が向上する。また、鉄骨柱に窓枠の縦枠部が重なるように固定されている場合は、屋根が浮いているように見え、更に意匠性が向上する。
【発明の効果】
【００１４】
本発明によれば、下部構造部の外壁と上部構造部との間に耐震要素を設けることなく、外壁に立設された鉄骨柱で上部構造部を支持することができる。
【図面の簡単な説明】
【００１５】
【図１】本発明の一実施形態の建物をＹ方向から見た正面図である。
【図２】図１の建物の屋根を構成する屋根架構の正面図である
【図３】図１の建物の下部構造部の内部構造を模式的に示す斜め上方から見た斜視図である。
【図４】図３に屋根架構を構成する下部架構を図示した斜視図である。
【図５】図４の最上階部分（三階部分）の内部を模式的に示す斜め下方から見た拡大斜視図である。
【発明を実施するための形態】
【００１６】
＜実施形態＞
本発明の一実施形態に係る建物について説明する。なお、図中、水平方向における直交する２方向を矢印Ｘ（Ｘ方向）及び矢印Ｙ（Ｙ方向）で示し、上下方向を矢印Ｚ（Ｚ方向）で示す。
【００１７】
［構造］
先ず、本実施形態の建物１０の構造について説明する。
【００１８】
図１に示すように、建物１０は、鉄筋コンクリート造の下部構造部２０と、上部構造部の一例としての屋根５０と、を含んで構成されている。
【００１９】
下部構造部２０は、複数階（本実施形態では三階）からなり、図３〜図５に示すように、柱２２、梁２４、外壁２６及びスラブ２８で躯体が構成されている。なお、Ｘ方向に沿った外壁を外壁２６Ｘとし、Ｙ方向に沿った外壁を外壁２６Ｙとする。
【００２０】
下部構造部２０の最上階（本実施形態では三階）における外壁２６の上端部２６Ａ（梁２４の上端部２４Ａ、柱２２の上端部２２Ａ）から鉄骨柱１００（図２も参照）が立設している。なお、本実施形態では、最上階（本実施形態では三階）は、外周部以外は柱がない構造となっているが、これに限定されるものではない。
【００２１】
図５に示すように、鉄骨柱１００の下端部１０２は、鉄筋コンクリート造の外壁２６の最上階（本実施形態では三階）における上部２６Ｂ（柱２２の上部２６Ｂ）に埋設されている。なお、鉄骨柱１００の外壁２６から突出している部位を「鉄骨柱１００の上端部１０４」とする（図２〜図４も参照）。
【００２２】
このように、下部構造部２０の最上階（本実施形態では三階）は、階の途中までは鉄筋コンクリート造であるが、鉄骨柱１００の下端部１０２が埋設されている外壁２６の上部２６Ｂ（柱２２の上部２２Ｂ）は鉄骨鉄筋コンクリート造となっている。
【００２３】
図２に示すように、この鉄骨柱１００の上端部１０４に屋根５０（図１も参照）を構成する屋根架構５６が支持されている。なお、図１に示すように、本実施形態の屋根５０の外形形状は、宝形造である。
【００２４】
図２に示すように、屋根架構５６は、鉄骨材で構成され、宝形の上部架構５２の下に格子状の下部架構５４が設けられた構造となっており、この下部架構５４が鉄骨柱１００の上端部１０４と接合されている（図4及び図５も参照）。
【００２５】
図１に示すように、下部構造部２０と屋根５０との間の外周部６０には、窓６２が設けられている。具体的には、外周部６０には、ガラス６４がはめ込まれた窓枠６６が設けられている。この窓枠６６は、正面視（Ｘ方向又はＹ方向から見た場合）において、縦枠部６６Ａが鉄骨柱１００の上端部１０４（図２等を参照）に重なるように設けられている。
【００２６】
本実施形態の建物１０は、地震時にＸ方向に沿った方向が大きく揺れると想定されている。そして、地震時にＸ方向に沿った方向が面外方向になるＹ方向に沿った外壁２６Ｙは、他のＸ方向に沿った外壁２６Ｘよりも面外剛性が高くなっている。なお、どのようにして外壁２６Ｙの面外剛性を高くしてもよい。例えば、「最上階（本実施形態では三階）の上端部２６Ａを全体的に高くする（平均高さを高くする）」、「梁２４の断面を大きくする」及び「壁厚を厚くする」等で面外剛性を高くできる。
【００２７】
［作用及び効果］
次に、本実施形態の作用及び効果について説明する。
【００２８】
鉄骨柱１００は、下部構造部２０の外壁２６の上部２６Ｂ（柱２２の上部２２Ｂ）に下端部１０２が埋設されているので、外壁２６の上部２６Ｂの剛性が高くなり、地震力の方向が面外方向となる外壁２６から立設する鉄骨柱１００も地震力を負担する。
【００２９】
また、地震時にＸ方向に沿った方向が面外方向になるＹ方向に沿った外壁２６Ｙは、Ｘ方向に沿った外壁２６Ｘよりも面外剛性が高くなっている。よって、外壁２６Ｙの剛性が更に高くなり、外壁２６Ｙから立設する鉄骨柱１００が効果的に地震力を負担する。
【００３０】
したがって、下部構造部２０の外壁２６と屋根５０との間の外周部６０にブレースや耐震壁等の耐震要素を設けることなく、外壁２６から突出させた鉄骨柱１００で屋根５０を支持することができる。
【００３１】
別の観点から説明すると、柱２２の上部２２Ｂ及び外壁２６の上部２６Ｂが実質的に鉄骨鉄筋コンクリート造となり、鉄骨柱１００の下端部１０２の応力処理と層剛性の向上との両方が可能となる合理的な構造となっている。
【００３２】
また、下部構造部２０の外壁２６と屋根５０との間には、耐震要素がなく、外周部６０に窓６２が設けられている。この窓６２の窓枠６６は、縦枠部６６Ａが鉄骨柱１００に重なるように固定されている。
【００３３】
よって、下部構造部２０の外壁２６と屋根５０との間の外周部６０には、窓６２（窓枠６及びガラス６４）しかないように見え、その結果、屋根５０が浮いているように見えるので、高い意匠性を有している。
【００３４】
また、下部構造部２０の外壁２６と屋根５０との間の外周部６０にブレース等の耐震要素が設けられていないので、窓６２からの採光及び通風に対して好適である。
【００３５】
＜その他＞
尚、本発明は上記実施形態に限定されない。
【００３６】
下部構造部２０の外壁２６と屋根５０との間の外周部６０設けられて窓枠６６の縦枠部６６Ａは、正面視において、鉄骨柱１００に重なるように固定されている。しかし、鉄骨柱１００と重ならない縦枠部６６Ａがあってもよいし、全く重なっていなくてもよい。
【００３７】
また、下部構造部２０の外壁２６と屋根５０との間の外周部６０に、窓枠６６にガラス６４がはめ込まれた窓６２以外の窓、例えば、障子が外周部６０に設けられていてもよい。また、外周部６０に窓以外のもの、例えば換気口が設けられていてもよい。更に、外周部６０に、何も設けられていなくてもよい。
【００３８】
また、上記実施形態では、上部構造部は、屋根５０であったが、これに限定されない。例えば、建物の上下方向の中間部分に下部構造部の外壁から立設する鉄骨柱で上部構造部が支持された部位があってもよい。
【００３９】
また、外壁２６Ｙは、外壁２６Ｘよりも面外剛性が高くなっているが、これに限定されない。要は、耐震要素を設けることなく、外壁から突出させた鉄骨柱１００の上端部１０４で上部構造部を支持できればよい。
【００４０】
本発明の要旨を逸脱しない範囲において種々なる態様で実施し得ることは言うまでもない
【符号の説明】
【００４１】
１０      建物
２０      下部構造部
２６      外壁
２６Ｂ    上部
５０      屋根（上部構造部の一例）
６０      外周部
６６      窓枠
６６Ａ    縦枠部
１００      鉄骨柱
１０２      下端部
１０４      上端部
【図１】
2018141333.tif 000003
【図２】
2018141333.tif 000004
【図３】
2018141333.tif 000005
【図４】
2018141333.tif 000006
【図５】
2018141333.tif 000007